(57)【要約】      （修正有）【課題】発信機自体に発信機の位置を表示するための灯火機能を設け、発信機の視認性を向上させると共に、設置に必要なスペースを縮小できるようにした位置表示灯付発信機を提供する。【解決手段】取付板２と、取付板２に設けられ、押釦３ａが前面側を向く押釦スイッチ３と、取付板２にその前面側を覆うように取り付けられ、押釦スイッチ３用の操作穴４ａを形成した円形皿状のカバー４と、カバー４の操作穴４ａに対向して配置され、操作穴４ａを開閉する保護カバー５とを備え、消防設備に使用する発信機において、カバー４を赤色に着色された透光性部材により形成すると共に、カバー４の外周縁部の内方にカバー４の外周縁部を環状に発光させる発光器具９を配設し、カバー４の外周縁部を位置表示灯として機能させる。【選択図】図２
0003188944.tif 000002
【実用新案登録請求の範囲】
【請求項１】
取付板（２）と、取付板（２）に設けられ、押釦（３ａ）が前面側を向く押釦スイッチ（３）と、取付板（２）にその前面側を覆うように取り付けられ、押釦スイッチ（３）用の操作穴（４ａ）を形成した円形皿状のカバー（４）と、カバー（４）の操作穴（４ａ）に対向して配置され、操作穴（４ａ）を開閉する保護カバー（５）とを備え、消防設備に使用する発信機において、前記カバー（４）を赤色に着色された透光性部材により形成すると共に、カバー（４）の外周縁部の内方にカバー（４）の外周縁部を環状に発光させる発光器具（９）を配設し、カバー（４）の外周縁部を位置表示灯として機能させたことを特徴とする位置表示灯付発信機。
【請求項２】
発光器具（９）は、カバー（４）の外周縁部の内方に配置され、電気回路を組み込んだ環状の基板（９ａ）と、基板（９ａ）の前面に取り付けた複数の発光体（９ｂ）とから成ることを特徴とする請求項１に記載の位置表示灯付発信機。
【請求項３】
各発光体（９ｂ）が発光ダイオードから成ることを特徴とする請求項２に記載の位置表示灯付発信機。
【考案の詳細な説明】
【技術分野】
【０００１】
本考案は、消防設備として建物等に設置されている自動火災報知設備や非常警報設備、屋内消火栓設備等に使用される発信機の改良に係り、特に、発信機自体に発信機の位置を表示するための灯火機能を設け、発信機の視認性を向上させると共に、設置に必要なスペースを縮小できるようにした位置表示灯付発信機に関するものである。
【背景技術】
【０００２】
一般に、建物等に設置されている自動火災報知設備や非常警報設備、屋内消火栓設備等の消防設備には、火災発生時において押釦スイッチを押すことで火災の発生を防災センターや建物の管理室等に設置されている受信機に知らせる発信機が設けられている。
【０００３】
前記発信機は、消防法令の規定で定められている、位置を表示するための灯火（位置表示灯）を設けなければならない。
【０００４】
従来の位置表示灯は、発信機とは別にその上部に設置したり、或いは、発信機と並列に設置したりしており、法令上も位置については数値化した離隔距離が定められていないことから、発信機との位置関係が統一されていない。
【０００５】
図４は従来の発信機２１及び位置表示灯２２を設置した屋内消火栓設備２０を示し、図４（Ａ）は発信機２１と位置表示灯２２を並列に設置した屋内消火栓２０、図４（Ｂ）は発信機２１の上部に位置表示灯２２を設置した屋内消火栓設備２０、図４（Ｃ）は発信機２１のみを設置し、位置表示灯２２を壁に設置した屋内消火栓設備２０である（例えば、特許文献１及び特許文献２参照）。
【０００６】
ところで、火災発生時においては、防災設備に設けた発信機２１により速やかに通報を行う必要があるが、非常電源を使用した位置表示灯は、夜間や停電時に点灯しているものの、図４に示すように発信機２１の位置を直接示しているわけではないため、通報に手間取ることがあった。
【０００７】
特に、図４（Ｃ）の屋内消火栓設備２０のように、位置表示灯２２の位置が発信機２１から大きく離れた位置にあり、且つ煙が充満している場合には、避難者が発信機２１の位置を確認するのに手間取り、発信機２１の押釦スイッチを迅速に押せないことがあった。
【０００８】
また、従来の発信機２１と位置表示灯２２とは、それぞれ別々の位置に設置されているため、発信機２１と位置表示灯２２を設置するのに広い設置スペースを必要とすると云う問題があった。
【０００９】
尚、特開２０１１−８６２２４号公報（特許文献３）には、発信機の内部に応答表示灯を設け、発信機の認識性を向上させることかできるようにした発信機が記載されている。
【００１０】
即ち、前記発信機は、図示していないが、発信機に設けたスイッチ操作部を透明又は半透明とすると共に、スイッチ操作部の内部にＬＥＤ等の応答表示灯を設け、当該応答表示灯を常時点灯状態とすることによって、応答表示灯からの光をリング状のライトガイドを通して透光性のゴム部材で作られた枠部材全体をリング状に光らせ、これにより発信機の位置を認識できるようにしている。
【００１１】
しかし、前記発信機においては、内部に応答表示灯を１灯しか設けていないため、応答表示灯を常時点灯させていても、枠部材全体を均一に光らせることができず、視認性に劣ると云う問題があった。
【００１２】
また、応答表示灯は、通常は消灯しており、発信操作がされたときに点灯して操作者に発信操作が行われたことを知らせるためのものであるので、現在広く一般に使用されている応答表示灯の表示と異なる場合には、このことを予め周知しておかなければ、誤った使用をされることも考えられる。
【先行技術文献】
【特許文献】
【００１３】
【特許文献１】特開２００４−２９８５０８号公報
【特許文献２】特開２０１１−２３９８６１号公報
【特許文献３】特開２０１１−８６２２４号公報
【考案の概要】
【考案が解決しようとする課題】
【００１４】
本考案は、このような問題点に鑑みて為されたものであり、その目的は、発信機自体に発信機の位置を表示するための灯火機能を設け、発信機の視認性を向上させると共に、設置に必要なスペースを縮小できるようにした位置表示灯付発信機を提供することにある。
【課題を解決するための手段】
【００１５】
上記目的を達成するために、本考案の請求項１の考案は、取付板と、取付板に設けられ、押釦が前面側を向く押釦スイッチと、取付板にその前面側を覆うように取り付けられ、押釦スイッチ用の操作穴を形成した円形皿状のカバーと、カバーの操作穴に対向して配置され、操作穴を開閉する保護カバーとを備え、消防設備に使用する発信機において、前記カバーを赤色に着色された透光性部材により形成すると共に、カバーの外周縁部の内方にカバーの外周縁部を環状に発光させる発光器具を配設し、カバーの外周縁部を位置表示灯として機能させたことに特徴がある。
【００１６】
本考案の請求項２の考案は、請求項１に記載の考案において、発光器具は、カバーの外周縁部の内方に配置され、電気回路を組み込んだ環状の基板と、基板の前面に取り付けた複数の発光体とから成ることに特徴がある。
【００１７】
本考案の請求項３の考案は、請求項２に記載の考案において、各発光体が発光ダイオードから成ることに特徴がある。
【考案の効果】
【００１８】
本考案の位置表示灯付発信機は、円形皿状のカバーを赤色に着色された透光性部材により形成すると共に、カバーの外周縁部の内方にカバーの外周縁部を環状に発光させる発光器具を配設し、カバーの外周縁部を位置表示灯として機能させる構成としているため、発信機の位置を明確に示すことができ、視認性を大幅に向上させることができる。
【００１９】
また、本考案の位置表示灯付発信機は、カバーの外周縁部が位置表示灯として機能するため、独立した位置表示灯を必要としない。その結果、本考案の位置表示灯付発信機は、位置表示灯を設置していたスペースが不要となり、設置に必要なスペースを縮小することができる。
【００２０】
更に、本発明の位置表示灯付発信機は、発光器具が、電気回路を組み込んだ環状の基板と、基板の前面に取り付けた複数の発光ダイオードから成る発光体とから構成されているため、寿命が大幅に伸びると共に、高信頼性、低消費電力、低発熱性に優れたものとなる。
【図面の簡単な説明】
【００２１】
【図１】本考案の実施の形態に係る位置表示灯付発信機の正面図である。
【図２】位置表示灯付発信機の概略縦断面図である。
【図３】位置表示灯付発信機が発光した状態を示す正面図である。
【図４】従来の発信機及び位置表示灯を設置した屋内消火栓設備の正面図である。
【考案を実施するための形態】
【００２２】
以下、本考案の実施の形態を図面に基づいて詳細に説明する。
図１〜図３は本考案の実施の形態に係る位置表示灯付発信機１を示し、当該位置表示灯付発信機１は、消防設備として建物等に設置されている自動火災報知設備や非常警報設備、屋内消火栓設備等に設けられており、火災発生時に避難者が操作することにより火災の発生を防災センターや建物の管理室等に設置されている受信機に知らせるものである。
【００２３】
即ち、前記位置表示灯付発信機１は、取付板２と、取付板２に設けられ、押釦３ａが前面側（図２の左側）を向く押釦スイッチ３と、取付板２にその前面側（図２の左側）を覆うように取り付けられ、押釦スイッチ３用の操作穴４ａを形成した円形皿状のカバー４と、カバー４の操作穴４ａに対向して配置され、操作穴４ａを内方側から開閉する保護カバー５と、操作穴４ａを閉じるように保護カバー５を付勢する圧縮コイルスプリング６と、取付板２の前面側に設けた応答確認灯７（応答表示灯）と、取付板２の背面側（図２の右側）に取り付けられ、電子部品が実装されるプリント基板（図示省略）を有すると共に、電源等に接続される端子台８等を備えており、前記カバー４を赤色に着色された透光性部材により形成すると共に、カバー４の外周縁部の内方にカバー４の外周縁部を環状に発光させる発光器具９を配設し、カバー４の外周縁部を位置表示灯として機能させたものである。
【００２４】
具体的には、前記取付板２は、合成樹脂板（又は金属板）により形成されており、環状の円板部２ａと、円板部２ａの内周縁部に連設されて背面側（図２の右側）へ突出する断面形状が凹状の収納部２ｂとから成る。
【００２５】
この取付板２は、例えば、凹状の収納部２ｂが屋内消火栓設備の消火栓ボックス１０の前面に形成した取付穴１０ａに収納された状態で消火栓ボックス１０の前面にネジ（図示省略）等により取り付けられている。
【００２６】
前記押釦スイッチ３は、取付板２の収納部２ｂ内に収納されて端子台８のプリント基板に接続されており、スイッチ本体３ｂから押釦３ａが出退自在に設けられ、押釦３ａが引き出し状態のときにはＯＦＦの状態となり、また、押釦３ａが押し込み状態のときにはＯＮの状態となり、押釦３ａの押し込み力を解除すると、自動的に引き出し状態になってＯＦＦの状態となるようになっている。
【００２７】
前記カバー４は、赤色に着色された透光性部材により円形皿状に形成されており、その中心部には、押釦スイッチ３の押釦３ａに対向する押釦スイッチ３用の操作穴４ａが形成されている。
【００２８】
また、カバー４は、その外周縁部の内方に環状の隔壁４ｂが一体的に形成されており、当該隔壁４ｂとカバー４の外周壁とで発光器具９を収納する環状の収納空間Ｓを形成している。この隔壁４ｂは、必ず要るものではなく、省略しても良いことは勿論である。
【００２９】
そして、カバー４は、取付板２の円板部２ａに取付板２の前面側（図２の左側）を覆うように取り付けられており、操作穴４ａが押釦スイッチ３の押釦３ａに対向するようになっている。
【００３０】
尚、この実施の形態に於いては、カバー４は、赤色に着色されたポリカーボネートやアクリルなどの樹脂板形成されている。
【００３１】
前記保護カバー５は、透明又は半透明な合成樹脂板（ポリカーボネート樹脂板やアクリル樹脂板）により円形のキャップ状に形成されており、その外周面には、外方へ突出するアーム部材１１が設けられている。
【００３２】
また、保護カバー５は、アーム部材１１の一端部が取付板２の円板部２ａに支持軸１２を介して揺動自在に支持されており、支持軸１２を支点にして揺動することによって、カバー４の操作穴４ａを内方側から開閉できるようになっている。
即ち、保護カバー５は、閉鎖位置（図２の実線位置）と開放位置（図２の一点鎖線位置）とに亘って開閉自在となっている。
【００３３】
更に、保護カバー５は、保護カバー５と押釦スイッチ３のスイッチ本体３ｂとの間に介設した圧縮コイルスプリング６の弾性力にカバー４の操作穴４ａを内方側から塞ぐように付勢保持されている。
【００３４】
そして、保護カバー５は、カバー４の操作穴４ａから押釦スイッチ３側へ押し込まれ、押釦スイッチ３の押釦３ａを押し込んで押釦スイッチ３がＯＮの状態になったときに、取付板２の円板部２ａに設けた復旧用釦（図示省略）に係止されて開放位置で保持されるようになっている。
【００３５】
また、保護カバー５は、復旧用釦を操作すると、保護カバー５と復旧用釦との係止が外れ、圧縮コイルスプリング６の弾性力により開放位置から閉鎖位置へ揺動するようになっている。これと同時に押釦スイッチ３も、ＯＦＦの状態に復帰することになる。
【００３６】
前記応答確認灯７は、取付板２の収納部２ｂ前面側に設けられて端子台８のプリント基板に接続されており、通常は消灯している。この応答確認灯７は、押釦スイッチ３が押されて発信操作がされたときに点灯し、操作者に発信操作が行われたことを知らせるためのものである。
【００３７】
前記発光器具９は、カバー４の外周縁部の内方に形成した環状の収納空間Ｓに配設されており、カバー４の外周縁部を環状に発光させて位置表示灯として機能させるものである。
【００３８】
即ち、発光器具９は、電気回路を組み込んだ環状の基板９ａと、基板９ａの前面に取り付けた複数の発光ダイオードから成る発光体９ｂとから構成されており、取付板２の円板部２ａの前面側に取り付けられてリード線（図示省略）を介して端子台８のプリント基板に接続され、押釦スイッチ３の押し込みに関係なく、常時点灯状態となっている。
【００３９】
また、発光器具９への給電には、非常電源（図示省略）が使用されており、停電時等でも発光器具９へ給電できるようになっている。
【００４０】
尚、図示していないが、前記位置表示灯付発信機１には、受信機側との通話を行う電話線ジャックが設けられており、消防士が携帯している受話器を電話線ジャックに接続して受信機と通信することができるようになっている。
【００４１】
而して、上述した位置表示灯付発信機１は、図３に示すように透光性部材により形成した円形皿状のカバー４の外周縁部をカバー４の内方に配設した発光器具９により環状に光らせるようにしているため、発信機の位置を明確に示すことができ、発信機の正面からは勿論のこと、発信機の側方からも明確に視認することができ、視認性を大幅に向上させることができる。
【００４２】
また、この位置表示灯付発信機１は、カバー４の外周縁部が位置表示灯として機能するため、独立した位置表示灯を必要としない。その結果、この位置表示灯付発信機１は、位置表示灯を設置していたスペースが不要となり、設置に必要なスペースを縮小することができる。
【００４３】
更に、この位置表示灯付発信機１は、発光器具９の発光体９ｂに複発光ダイオードを使用しているため、寿命が大幅に伸びると共に、高信頼性、低消費電力、低発熱性に優れたものとなる。
【符号の説明】
【００４４】
１は位置表示灯付発信機
２は取付板
２ａは環状の円板部
２ｂは凹状の収納部
３は押釦スイッチ
３ａは押釦
３ｂはスイッチ本体
４はカバー
４ａは操作穴
４ｂは隔壁
５は保護カバー
６は圧縮コイルスプリング
７は応答確認灯
８は端子台
９は発光器具
９ａは環状の基板
９ｂは発光体（発光ダイオード）
１０は消火栓ボックス
１０ａは取付穴
１１はアーム部材
１２は支持軸
Ｓは環状の収納空間
【図１】
0003188944.tif 000003
【図２】
0003188944.tif 000004
【図３】
0003188944.tif 000005
【図４】
0003188944.tif 000006